(57)【要約】      （修正有）【課題】２方向クラッチを電磁クラッチにより制御する回転伝達装置の伝達トルク容量の増大を図ることである。【解決手段】２方向クラッチ１０として、出力軸の軸端部に設けられた外輪１１の内周の円筒面１２と入力軸１の軸端部に設けられた内輪１３の外周の円筒面１４間に、制御保持器１６に設けられた複数の柱部１６ｂと回転保持器１７に設けられた複数の柱部１７ｂとを周方向に交互に配置されるよう組み込んで、周方向で隣接する一対の柱部間にポケット１９を設け、そのポケット１９内のそれぞれに、内端部を中心にして揺動可能な対向一対のスプラグ１５と、そのスプラグ１５の対向部間に弾性部材２１を組み込んだスプラグタイプのものを採用する。そして、電磁クラッチにより制御保持器１６と回転保持器１７を相対回転させてスプラグ１５を係合および解除させるようにする。【選択図】図５
2014020439.tif 000002
【特許請求の範囲】
【請求項１】
入力軸から、その入力軸と同軸上に配置された出力軸への回転の伝達と遮断とを行なう２方向クラッチおよびその２方向クラッチの係合および解除を制御する電磁クラッチを有し、
前記２方向クラッチが、前記出力軸の軸端部に設けられた外輪の内周の円筒面と前記入力軸の軸端部に設けられた内輪の外周の円筒面間に、制御保持器に設けられた複数の柱部と回転保持器に設けられた複数の柱部とを周方向に交互に配置されるよう組み込んで、周方向で隣接する一対の柱部間にポケットを設け、そのポケット内のそれぞれに内端部を中心にして揺動可能な対向一対のスプラグを組込み、その対向一対のスプラグを、その対向部間に組み込まれた弾性部材によって外輪の円筒面と内輪の円筒面に係合する方向に付勢したスプラグタイプとされ、
前記電磁クラッチが、入力軸の軸方向に移動自在に支持されたアーマチュアと、そのアーマチュアと軸方向で対向するロータと、そのロータと軸方向で対向し、通電によってロータにアーマチュアを吸着させる電磁石とからなり、
前記アーマチュアに前記制御保持器を連結し、その制御保持器と回転保持器の相互間に、制御保持器の軸方向の移動を、その制御保持器と回転保持器の相対回転運動に変換する運動変換機構を設け、前記電磁石に対する通電により、制御保持器と回転保持器をポケットの周方向幅が小さくなる方向に相対回転させて対向一対のスプラグを係合解除させるようにした回転伝達装置。
【請求項２】
前記制御保持器と回転保持器の内側に前記内輪と一体に回転する内側保持器を設け、その内側保持器に形成されたポケットでスプラグの内径側の端部を揺動自在に支持した請求項１に記載の回転伝達装置。
【請求項３】
前記内側保持器を前記内輪に圧入した請求項２に記載の回転伝達装置。
【請求項４】
前記運動変換機構が、制御保持器の複数の柱部の一端部を支持するフランジと回転保持器の複数の柱部の一端部を支持するフランジの対向面それぞれに、周方向の中央部で深く、両端に至るに従って溝深さが次第に浅くなるカム溝を設け、そのカム溝間にボールを収容したトルクカムからなる請求項１乃至３のいずれか１項に記載の回転伝達装置。
【発明の詳細な説明】
【技術分野】
【０００１】
この発明は、動力の伝達と遮断の切換えに用いられる回転伝達装置に関する。
【背景技術】
【０００２】
ＦＲベースの４輪駆動車において、補助駆動輪としての前輪に駆動力の伝達と遮断とを行う回転伝達装置として、特許文献１に記載されたものが従来から知られている。
【０００３】
上記特許文献１に記載された回転伝達装置においては、外輪とその内側に組み込まれた内輪との間に制御保持器と回転保持器とを、各保持器に形成された柱部が周方向で交互に配置されるよう組込み、隣接する柱部間に形成されたポケット内に対向一対のローラを組込み、その一対のローラをその対向部間に組み込まれた弾性部材で離反する方向に付勢して、外輪の内周に形成された円筒面と内輪の外周に形成されたカム面に係合する位置にスタンバイさせ、上記内輪の一方向への回転により一方のローラを円筒面およびカム面に係合させ、内輪の回転を外輪に伝達するようにしている。
【０００４】
また、内輪に接続された入力軸上に電磁クラッチを設け、その電磁クラッチの電磁コイルに対する通電により制御保持器を軸方向に移動させ、その制御保持器のフランジと回転保持器のフランジの対向面間に設けられたトルクカムの作用によりポケットの周方向幅が小さくなる方向に制御保持器と回転保持器とを相対回転させて、各保持器の柱部で一対のローラを係合解除位置まで移動させ、内輪から外輪への回転伝達を遮断するようにしている。
【０００５】
上記回転伝達装置においては、電磁クラッチにより制御保持器のフランジが回転保持器のフランジから離反する方向に制御保持器を移動させると、対向一対のローラ間に組み込まれた弾性部材の押圧作用により制御保持器と回転保持器とがポケットの周方向幅が大きくなる方向に相対回転して対向一対のローラが円筒面およびカム面に直ちに係合するため、回転方向ガタがなく、応答性に優れているという特徴を有している。
【先行技術文献】
【特許文献】
【０００６】
【特許文献１】特開２００９−２９３６７９号公報
【発明の概要】
【発明が解決しようとする課題】
【０００７】
ところで、上記特許文献１に記載された回転伝達装置においては、電磁クラッチによって係合および解除が制御される２方向クラッチが、係合子をローラとするローラタイプのものであるため、伝達トルク容量が比較的小さく、回転伝達装置の使用に制限を受けることが多く、そのような不都合を解消する上において改善すべき点が残されていた。
【０００８】
この発明の課題は、２方向クラッチを電磁クラッチにより制御する回転伝達装置の伝達トルク容量の増大を図ることである。
【課題を解決するための手段】
【０００９】
上記の課題を解決するため、この発明においては、入力軸から、その入力軸と同軸上に配置された出力軸への回転の伝達と遮断とを行なう２方向クラッチおよびその２方向クラッチの係合および解除を制御する電磁クラッチを有し、前記２方向クラッチが、前記出力軸の軸端部に設けられた外輪の内周の円筒面と前記入力軸の軸端部に設けられた内輪の外周の円筒面間に、制御保持器に設けられた複数の柱部と回転保持器に設けられた複数の柱部とを周方向に交互に配置されるよう組み込んで、周方向で隣接する一対の柱部間にポケットを設け、そのポケット内のそれぞれに内端部を中心にして揺動可能な対向一対のスプラグを組込み、その対向一対のスプラグを、その対向部間に組み込まれた弾性部材によって外輪の円筒面と内輪の円筒面に係合する方向に付勢したスプラグタイプとされ、前記電磁クラッチが、入力軸の軸方向に移動自在に支持されたアーマチュアと、そのアーマチュアと軸方向で対向するロータと、そのロータと軸方向で対向し、通電によってロータにアーマチュアを吸着させる電磁石とからなり、前記アーマチュアに前記制御保持器を連結し、その制御保持器と回転保持器の相互間に、制御保持器の軸方向の移動を、その制御保持器と回転保持器の相対回転運動に変換する運動変換機構を設け、前記電磁石に対する通電により、制御保持器と回転保持器をポケットの周方向幅が小さくなる方向に相対回転させて対向一対のスプラグを係合解除させるようにした構成を採用したのである。
【００１０】
上記の構成からなる回転伝達装置において、電磁クラッチの電磁石に通電すると、アーマチュアがロータに吸着され、そのアーマチュアに連結された制御保持器が軸方向にする。その制御保持器の軸方向の移動は運動変換機構により、制御保持器と回転保持器の相対回転運動に変換される。この時、制御保持器と回転保持器はポケットの周方向幅が小さくなる方向に相対回転するため、対向一対のスプラグは両保持器の柱部で押圧されて係合解除状態とされ、入力軸の回転は出力軸に伝達されず、入力軸がフリー回転する。
【００１１】
また、電磁クラッチの電磁石に対する通電を解除すると、弾性部材の押圧により対向一対のスプラグが離反する方向に押圧され、その押圧により制御保持器と回転保持器はポケットの周方向幅が大きくなる方向に相対回転し、対向一対のスプラグは外輪および内輪の円筒面に係合する。このため、入力軸が回転すると、その回転はスプラグを介して出力軸に伝達されて、出力軸が入力軸と同方向に回転する。
【００１２】
このように、電磁石に対する通電を解除すると、対向一対のスプラグは直ちに係合状態となるため、回転方向のガタがなく、入力軸の回転を出力軸に直ちに伝達することができ、応答性に優れている。また、２方向クラッチは、スプラグを係合子とするため、入力軸と出力軸の相互間において大きな回転トルクを伝達することができ、伝達トルク容量の大きな回転伝達装置を提供することができる。
【００１３】
ここで、制御保持器と回転保持器の内側に内輪と一体に回転する内側保持器を設け、その内側保持器に形成されたポケットでスプラグの内端部を揺動自在に支持することにより、その内端部を中心にしてスプラグを円滑に揺動させることができる。
【００１４】
この発明に係る回転伝達装置において、制御保持器の軸方向の移動を、その制御保持器と回転保持器の相対回転運動に変換する運動変換機構として、制御保持器の複数の柱部の一端部を支持するフランジと回転保持器の複数の柱部の一端部を支持するフランジの対向面それぞれに、周方向の中央部で深く、両端に至るに従って溝深さが次第に浅くなるカム溝を設け、そのカム溝間にボールを収容したトルクカムを採用することができる。
【発明の効果】
【００１５】
この発明においては、上記のように、電磁クラッチによって係合および係合解除が制御される２方向クラッチとして、スプラグを係合子とするスプラグタイプのものを採用したことにより、使用に制限を受けることが少ない伝達トルク容量の大きな回転伝達装置を得ることができる。
【図面の簡単な説明】
【００１６】
【図１】この発明に係る回転伝達装置の実施の形態を示す縦断正面図
【図２】図１の一部を拡大して示す断面図
【図３】アーマチュアを移動自在に支持するスライド案内部の他の例を示す断面図
【図４】アーマチュアを移動自在に支持するスライド案内部の他の例を示す断面図
【図５】図１のV−V線に沿った断面図
【図６】（ａ）は、２方向クラッチにおけるスプラグの係合状態を示す断面図、(ｂ)は、スプラグの係合解除状態を示す断面図
【図７】図１のVII−VII線に沿った断面図
【図８】(ｃ)は、図７のVIII−VIII線に沿った断面図、(ｄ)は、弾性部材の他の例を示す断面図
【図９】図１のIX−IX線に沿った断面図
【図１０】（ｅ）は、図９のX-X線に沿った断面図、（ｄ）は、（ｅ）の作動状態を示す断面図
【図１１】図１のXI−XI線に沿った断面図
【図１２】図１１のXII−XII線に沿った断面図
【発明を実施するための形態】
【００１７】
以下、この発明の実施の形態を図面に基づいて説明する。図１は、この発明に係る回転伝達装置の実施の形態を示す。図示のように、回転伝達装置は、入力軸１と、その入力軸１と同軸上に配置された出力軸２と、その両軸の軸端部を覆うハウジング３と、そのハウジング３内に組み込まれて入力軸１から出力軸２への回転の伝達と遮断とを行なう２方向クラッチ１０およびその２方向クラッチ１０の係合、解除を制御する電磁クラッチ４０とからなる。
【００１８】
ハウジング３は円筒状をなし、その一端部には小径の軸受筒４が設けられ、その軸受筒４内に組み込まれた軸受４ａによって出力軸２が回転自在に支持されている。また、ハウジング３の他端には取付フランジ５が外向きに設けられている。
【００１９】
図２および図５に示すように、２方向クラッチ１０は、出力軸２の軸端部に設けられた外輪１１の内周に円筒面１２を設け、入力軸１の軸端部に設けられた内輪１３の外周に円筒面１４を設け、その円筒面１２、１４に対して係合子としてのスプラグ１５を係合および解除させるようにしたスプラグタイプのものからなっている。
【００２０】
ここで、スプラグ１５は、その外端部が制御保持器１６と回転保持器１７により形成される後述のポケット内に収容され、また、内端部が内側保持器１８に形成された後述のポケット内に収容されて揺動自在の支持とされる。
【００２１】
図１および図９に示すように、制御保持器１６は、環状のフランジ１６ａの片面外周部に複数の円弧状配置の柱部１６ｂと、隣接する柱部１６ｂ間に円弧状の長孔１６ｃとを設けた構成とされている。一方、回転保持器１７は、図２に示すように、環状のフランジ１７ａの外周部に複数の柱部１７ｂを周方向に間隔をおいて設けた構成とされている。
【００２２】
図１に示すように、制御保持器１６と回転保持器１７は、制御保持器１６の長孔１６ｃ内に回転保持器１７の柱部１７ｂが挿入されて、その柱部１６ｂ、１７ｂが周方向に交互に並ぶ組み合わせとされている。そして、その組み合わせ状態で柱部１６ｂ、１７ｂの先端部が外輪１１と内輪１３間に配置され、制御保持器１６のフランジ１６ａおよび回転保持器１７のフランジ１７ａが入力軸１の外周に設けられたフランジ６と外輪１１間に位置する組込みとされている。
【００２３】
上記のような保持器１６、１７の組込みにより、図５および図６（ａ）に示すように、制御保持器１６の柱部１６ｂと回転保持器１７の柱部１７ｂ間にポケット１９が形成され、そのポケット１９内に対向一対のスプラグ１５の外端部が収容されている。また、スプラグ１５の内端部は、内側保持器１８に形成されたポケット２０内に収容されて揺動自在の支持とされている。
【００２４】
対向一対のスプラグ１５は、その外端部の対向部間に組み込まれた弾性部材２１により相反する方向に付勢されて、図６（ａ）に示すように、外輪１１の円筒面１２および内輪１３の円筒面１４に係合する係合状態にあり、その係合状態からポケット２０内に収容された内端部を中心にして外端部が互いに接近する方向に揺動すると、図６（ｂ）に示すように、円筒面１２、１４に対して係合解除するようになっている。
【００２５】
弾性部材２１として、ここでは、円形のコイルばねを採用しているが、図８（ｃ）に示すように断面が角形のコイルばねであってもよく、あるいは、図８（ｄ）に示すように、断面が長円状のコイルばねであってもよい。
【００２６】
図６に示すように、内側保持器１８は内輪１３の外径面に対して圧入による取付けとされ、内輪１３と一体に回転するようになっている。また、内輪１３は、図２に示すように、入力軸１の軸端部にセレーション嵌合されて入力軸１と一体に回転し、外輪１１の閉塞端部内に組み込まれた軸受２２により回転自在に支持されているが、内輪１３を入力軸１に一体に設けるようにしてもよい。
【００２７】
図２に示すように、制御保持器１６のフランジ１６ａおよび回転保持器１７のフランジ１７ａは、入力軸１の外周に形成されたスライド案内面２３に沿ってスライド自在に支持され、上記回転保持器１７のフランジ１７ａと入力軸１のフランジ６間にスラスト軸受２４が組み込まれている。
【００２８】
制御保持器１６と回転保持器１７の相互間には、制御保持器１６の軸方向の移動を、その制御保持器１６と回転保持器１７の相対的な回転運動に変換する運動変換機構３０が設けられている。運動変換機構３０として、ここでは、トルクカムが示されている。
【００２９】
図２、図９および図１０(ｅ)に示すように、運動変換機構としてのトルクカム３０は、制御保持器１６のフランジ１６ａと回転保持器１７のフランジ１７ａの対向面それぞれに周方向の中央部で深く両端に至るに従って次第に浅くなる対向一対のカム溝３１、３２を設け、一方のカム溝３１の一端部と他方のカム溝３２の他端部間にボール３３を組み込んだ構成としている。
【００３０】
カム溝３１、３２として、ここでは円弧状の溝を示したが、Ｖ溝であってもよい。
【００３１】
上記トルクカム３０は、制御保持器１６のフランジ１６ａが回転保持器１７のフランジ１７ａに接近する方向に制御保持器１６が軸方向に移動した際に、図１０（ｆ）に示すように、ボール３３がカム溝３１、３２の溝深さの最も深い位置に向けて転がり移動し、制御保持器１６と回転保持器１７をポケット１９の周方向幅が小さくなる方向に相対回転させるようになっている。
【００３２】
図２および図７に示すように、内輪１３の軸方向の一側面には、内輪１３に対して回り止めされた環状の保持プレート３５が衝合されている。この保持プレート３５の外周面には制御保持器１６の柱部１６ｂと回転保持器１７の柱部１７ｂ間の各ポケット１９内に配置される複数の回り止め片３６が形成されている。
【００３３】
複数の回り止め片３６は、制御保持器１６と回転保持器１７とがポケット１９の周方向幅を縮小する方向に相対回転した際に、制御保持器１６の柱部１６ｂおよび回転保持器１７の柱部１７ｂを両側縁で受け止めて対向一対のスプラグ１５を係合解除する中立位置に保持するようになっている。
【００３４】
図１に示すように、電磁クラッチ４０は、制御保持器１６のフランジ１６ａと軸方向で対向するアーマチュア４１と、そのアーマチュア４１と軸方向で対向するロータ４２と、そのロータ４２と軸方向で対向する電磁石４３とを有している。
【００３５】
図２に示すように、アーマチュア４１は、入力軸１のフランジ６の外周に形成されたスライド案内面６ａに嵌合されて回転自在かつスライド自在に支持されており、そのアーマチュア４１に制御保持器１６が連結されている。その連結に際し、ここでは、アーマチュア４１の外周に連結筒４５を設け、制御保持器１６のフランジ１６ａの外周に設けられた筒部１６ｄをその連結筒４５の内径面に圧入している。
【００３６】
上記のように、アーマチュア４１の外周に設けられた連結筒４５内に制御保持器１６のフランジ１６ａ外周に設けられた筒部１６ｄを圧入して、アーマチュア４１と制御保持器１６を連結することにより、アーマチュア４１は、フランジ６の外周のスライド案内面６ａと入力軸１の外周のスライド案内面２３の軸方向の２箇所においてスライド自在の支持とされている。
【００３７】
ロータ４２は、入力軸１に嵌合され、そのロータ４２と入力軸１の外周に設けられたフランジ６との間に位置決めリング４６が設けられて軸方向に位置決めされ、かつ、入力軸１に対して回り止めされている。
【００３８】
図１に示すように、電磁石４３は、電磁コイル４３ａと、その電磁コイル４３ａを支持するコア４３ｂとからなり、上記コア４３ｂはハウジング３の他端部開口内に嵌合され、ハウジング３の他端部開口内に取付けた止め輪４７によって抜止めされている。また、コア４３ｂは入力軸１に嵌合された軸受４８を介して入力軸１と相対的に回転自在とされている。
【００３９】
図１１および図１２に示すように、コア４３ｂはハウジング３の開口部内にほぼぴったりと嵌まり込む嵌合とされてカバーを兼用している。また、コア４３ｂの外周には突出部４９が設けられ、その突出部４９はハウジング３の他端開口部の内周に形成された回り止め溝５０に嵌合し、その嵌合によりコア４３ｂは回り止めされ、電磁コイル４３ａから引き出されたリード線(図示省略)に捩じれが生じて断線することのないようにされている。
【００４０】
図１に示すように、ハウジング３の軸受筒４から外側に位置する出力軸２の端部にはダストカバー５１が嵌合されている。ダストカバー５１は、出力軸２の外径面に嵌合される円筒部５２の一端に軸受筒４の端面と軸方向で対向する円板部５３を設け、その円板部５３の外周に軸受筒４の端部外周を覆う筒部５４を設けた構成とされて、軸受筒４内に異物が侵入するのを防止している。
【００４１】
実施の形態で示す回転伝達装置は上記の構造からなり、図１は、電磁石４３の電磁コイル４３ａに対する通電の遮断状態を示し、アーマチュア４１はロータ４２から離反する状態にある。また、２方向クラッチ１０の対向一対のスプラグ１５は、図６（ａ）に示すように、外輪１１の円筒面１２および内輪１３の円筒面１４に対して係合するスタンバイ位置に位置している。
【００４２】
２方向クラッチ１０のスタンバイ状態において、電磁コイル４３ａに通電すると、アーマチュア４１に吸引力が作用し、アーマチュア４１が軸方向に移動してロータ４２に吸着される。
【００４３】
ここで、アーマチュア４１は制御保持器１６に連結一体化されているため、アーマチュア４１の軸方向への移動に伴って制御保持器１６は、そのフランジ１６ａが回転保持器１７のフランジ１７ａに接近する方向に移動する。
【００４４】
このとき、図１０（ｅ）に示すボール３３が図１０(ｆ)に示すように、カム溝３１、３２の溝深さの最も深い位置に向けて転がり移動し、制御保持器１６と回転保持器１７はポケット１９の周方向幅が小さくなる方向に相対回転し、図６（ａ）に示す対向一対のスプラグ１５が制御保持器１６の柱部１６ｂと回転保持器１７の柱部１７ｂで押されて互いに接近する方向に移動する。このため、スプラグ１５は、図６（ｂ）に示すように、外輪円筒面１２および内輪円筒面１４から係合解除して中立状態となり、２方向クラッチ１０は係合解除状態とされる。
【００４５】
２方向クラッチ１０の係合解除状態において、入力軸１に回転トルクを入力して内輪１３を一方向に回転すると、保持プレート３５に形成された回り止め片３６が制御保持器１６の柱部１６ｂと回転保持器１７の柱部１７ｂの一方を押圧するため、内輪１３と共に制御保持器１６および回転保持器１７が回転する。このとき、対向一対のスプラグ１５は係合解除された中立位置に保持されているため、内輪１３の回転は外輪１１に伝達されず、内輪１３はフリー回転する。
【００４６】
ここで、制御保持器１６と回転保持器１７がポケット１９の周方向幅を小さくなる方向に相対回転すると、制御保持器１６の柱部１６ｂと回転保持器１７の柱部１７ｂが保持プレート３５の回り止め片３６の両側縁に当接して相対回転量が規制される。
【００４７】
このため、弾性部材２１は必要以上に収縮することはなくなり、伸長と収縮が繰り返し行われても疲労によって破損するようなことはない。
【００４８】
内輪１３のフリー回転状態において、電磁コイル４３ａに対する通電を解除すると、アーマチュア４１は吸着が解除されて回転自在となる。その吸着解除により、弾性部材２１の押圧によって制御保持器１６と回転保持器１７がポケット１９の周方向幅が大きくなる方向に相対回転し、対向一対のスプラグ１５のそれぞれが、図６（ａ）に示すように、外輪円筒面１２および内輪円筒面１４に係合するスタンバイ状態とされ、その対向一対のスプラグ１５の一方を介して内輪１３と外輪１１の相互間で一方向の回転トルクが伝達される。
【００４９】
ここで、入力軸１を停止して、その入力軸１の回転方向を切換えると、他方のスプラグ１５を介して内輪１３の回転が外輪１１に伝達される。
【００５０】
このように、電磁コイル４３ａに対する通電の遮断により、制御保持器１６と回転保持器１７がポケット１９の周方向幅が大きくなる方向に相対回転して、対向一対のスプラグ１５のそれぞれが外輪円筒面１２および内輪円筒面１４に直ちに噛み込むスタンバイ状態とされるため、回転方向ガタはなく、内輪１３の回転を外輪１１に直ちに伝達することができる。
【００５１】
また、内輪１３から外輪１１への回転トルクの伝達は、複数のスプラグ１５を介して行われるため、内輪１３から外輪１１に大きな回転トルクを伝達することができる。
【００５２】
なお、制御保持器１６と回転保持器１７がポケット１９の周方向幅が大きくなる方向に相対回転すると、ボール３３は対向一対のカム溝３１、３２の浅溝部に向けて転がり移動して、図１０（ｅ）に示す状態となる。
【００５３】
図１に示す実施の形態では、制御保持器１６および回転保持器１７を、その柱部１６ｂ、１７ｂが外輪１１と内輪１３間に位置し、軸方向で対向するフランジ１６ａ，１７ａが外輪１１とアーマチュア４１間に配置される組込みとしているため、外輪１１の軸方向長さのコンパクト化と軽量化とを図ることができる。
【００５４】
また、アーマチュア４１に設けた連結筒４５と制御保持器１６のフランジ外周部に形成された筒部１６ｄとを圧入による嵌合として一体化し、そのアーマチュア４１の内径面を入力軸１のフランジ６外周面に形成されたスライド案内面６ａでスライド自在に支持し、かつ、制御保持器１６のフランジ１６ａ内径面を入力軸１の外周に形成されたスライド案内面２３で移動自在に支持したことによって、アーマチュア４１をロータ４２に対して常に平行状態に保持することができ、電磁石４３への通電によってアーマチュア４１をロータ４２に確実に磁気吸引することができる。このため、スプラグ１５の係合および係合解除を精度よく行うことができる。
【００５５】
ここで、入力軸１を非磁性金属により形成すると、アーマチュア４１から入力軸１に磁束が漏れるのを防止するため、電磁石４３として小型のものを採用することができる。
【００５６】
なお、入力軸１を磁性金属で形成し、その入力軸１に一体に設けられたフランジ６に代えて、図３に示すように、非磁性金属リング７を嵌合し、あるいは、図４に示すように、樹脂リング８を嵌合して磁束の漏洩を防止するようにしてもよい。
【００５７】
樹脂リング８を採用する場合において、ポリアセタール(ＰＯＭ)、ポリアミド(ＰＡ)、ポリテトラフルオロエチレン(ＰＴＦＥ)、ポリフェニレンサルファイド(ＰＰＳ)等の自己潤滑性樹脂を採用することにより、アーマチュア４１の摺動抵抗を低減し、そのアーマチュア４１を軸方向にスムーズに移動させることができることになる。
【符号の説明】
【００５８】
１      入力軸
２      出力軸
１０    ２方向クラッチ
１１    外輪
１２    円筒面
１３    内輪
１４    円筒面
１５    スプラグ
１６    制御保持器
１６ａ  フランジ
１６ｂ  柱部
１７    回転保持器
１７ａ  フランジ
１７ｂ  柱部
１８    内側保持器
１９    ポケット
２０    ポケット
３０    トルクカム（運動変換機構）
３１    カム溝
３２    カム溝
３３    ボール
４０    電磁クラッチ
４１    アーマチュア
４２    ロータ
４３    電磁石
【図１】
2014020439.tif 000003
【図２】
2014020439.tif 000004
【図３】
2014020439.tif 000005
【図４】
2014020439.tif 000006
【図５】
2014020439.tif 000007
【図６】
2014020439.tif 000008
【図７】
2014020439.tif 000009
【図８】
2014020439.tif 000010
【図９】
2014020439.tif 000011
【図１０】
2014020439.tif 000012
【図１１】
2014020439.tif 000013
【図１２】
2014020439.tif 000014